(57)【要約】【課題】認証されたユーザであるか否かを認識することができる。【解決手段】カード４０は、カード４０を保持するユーザ６０の認証状況を示す情報を記憶するカード記憶部と、電界を用いて情報の送受信を行うカード通信部とを備える。報知装置２０は、電界を用いてカード４０から認証状況を示す情報を受信するアンテナ２２と、認証状況を示す情報に応じた出力内容を出力部２３に出力させる制御部と備える。【選択図】図１
2011091767.tif 000002
【特許請求の範囲】
【請求項１】
電界を電界伝達媒体に誘起し、当該電界を用いて通信を行うカードと、報知装置とを備えた電界通信システムであって、
前記カードは、
当該カードを保持するユーザの認証状況を示す情報を記憶するカード記憶部と、
前記電界を用いて情報の送受信を行うカード通信部と、
を備え、
前記報知装置は、
前記電界を用いて前記カードから前記認証状況を示す情報を受信する報知装置受信部と、
前記認証状況を示す情報に応じた出力内容を出力部に出力させる制御部と、
を備えたことを特徴とする電界通信システム。
【請求項２】
前記カードを保持するユーザの認証を行う認証部と、
前記電界を用いて前記カードと通信を行う認証装置通信部と、
前記認証部が認証した結果に応じて、前記カード記憶部が記憶する前記認証状況を示す情報を変更する変更部と、
を備えた認証装置を
さらに備えたことを特徴とする請求項１に記載の電界通信システム。
【請求項３】
前記電界を用いて前記カードと通信を行う初期化装置通信部と、
前記カードと通信を行った場合、前記カード記憶部が記憶する前記認証状況を示す情報を初期値に変更する初期化部と、
を備えた初期化装置を
さらに備えたことを特徴とする請求項１または請求項２のいずれか１項に記載の電界通信システム。
【請求項４】
電界を電界伝達媒体に誘起し、当該電界を用いて通信を行うカードと、報知装置とを備えた電界通信システムに含まれる報知装置であって、
前記カードを保持するユーザの認証状況を示す情報を、前記電界を用いて前記カードから受信する報知装置受信部と、
前記認証状況を示す情報に応じた出力内容を出力部に出力させる制御部と、
を備えたことを特徴とする報知装置。
【請求項５】
電界を電界伝達媒体に誘起し、当該電界を用いて通信を行うカードと、報知装置と、認証装置とを備えた電界通信システムに含まれる認証装置であって、
前記カードを保持するユーザの認証を行う認証部と、
前記電界を用いて前記カードと通信を行う認証装置通信部と、
前記認証部が認証した結果に応じて、前記カード記憶部が記憶する前記認証状況を示す情報を変更する変更部と、
を備えたことを特徴とする認証装置。
【請求項６】
電界を電界伝達媒体に誘起し、当該電界を用いて通信を行うカードと、報知装置と、初期化装置とを備えた電界通信システムに含まれる認証装置であって、
前記電界を用いて前記カードと通信を行う初期化装置通信部と、
前記カードと通信を行った場合、前記カード記憶部が記憶する前記認証状況を示す情報を初期値に変更する初期化部と、
を備えたことを特徴とする初期化装置。
【請求項７】
電界を電界伝達媒体に誘起し、当該電界を用いて通信を行うカードと、報知装置とを備えた電界通信システムに含まれるカードであって、
前記電界を用いて通信を行うカード通信部と、
当該カードを保持するユーザの認証状況を示す情報を記憶するカード記憶部と、
を備えたことを特徴とするカード。
【発明の詳細な説明】
【技術分野】
【０００１】
本発明は、電界通信システム、報知装置、認証装置、初期化装置およびカードに関する。
【背景技術】
【０００２】
ユーザ（電界伝達媒体）の表面に電界を誘起し、この電界を用いて、ユーザが保持するカードと読み書き装置との間で通信を行う電界通信システムが知られている（例えば、特許文献１参照）。また、ユーザの入室を認証するシステムが知られている（例えば、特許文献２参照）。
【先行技術文献】
【特許文献】
【０００３】
【特許文献１】特開２００７−１７４５７０号公報
【特許文献２】特開２００６−２８３３８３号公報
【発明の概要】
【発明が解決しようとする課題】
【０００４】
ユーザの入室を認証するシステムでは、認証されたユーザの入室を許可する。しかしながら、ユーザが入室した後では、そのユーザが認証されたユーザであるか否かを認識することができないという問題がある。
【０００５】
本発明は、上記の事情を考慮してなされたものであり、認証されたユーザであるか否かを認識することができる電界通信システム、報知装置、認証装置、初期化装置およびカードを提供することを目的とする。
【課題を解決するための手段】
【０００６】
本発明は、電界を電界伝達媒体に誘起し、当該電界を用いて通信を行うカードと、報知装置とを備えた電界通信システムであって、前記カードは、当該カードを保持するユーザの認証状況を示す情報を記憶するカード記憶部と、前記電界を用いて情報の送受信を行うカード通信部と、を備え、前記報知装置は、前記電界を用いて前記カードから前記認証状況を示す情報を受信する報知装置受信部と、前記認証状況を示す情報に応じた出力内容を出力部に出力させる制御部と、を備えたことを特徴とする電界通信システムである。
【０００７】
この構成によれば、カード記憶部は、当該カードを保持するユーザの認証状況を示す情報を記憶する。また、カード通信部は、電界を用いて情報の送受信を行う。また、報知装置受信部は、電界を用いてカードから認証状況を示す情報を受信する。また、制御部は、認証状況を示す情報に応じた出力内容を出力部に出力させる。
【０００８】
これにより、出力部の出力内容を確認することで、カードを保持するユーザが認証されたユーザであるか否かを認識することができる。
【０００９】
また、本発明は、前記カードを保持するユーザの認証を行う認証部と、前記電界を用いて前記カードと通信を行う認証装置通信部と、前記認証部が認証した結果に応じて、前記カード記憶部が記憶する前記認証状況を示す情報を変更する変更部と、を備えた認証装置をさらに備えたことを特徴とする電界通信システムである。
【００１０】
この構成によれば、認証部は、カードを保持するユーザの認証を行う。また、認証装置通信部は、電界を用いてカードと通信を行う。また、変更部は、認証部が認証した結果に応じて、カード記憶部が記憶する認証状況を示す情報を変更する。
【００１１】
これにより、認証部が認証した結果に応じた情報を、認証状況を示す情報として、カード記憶部に記憶させることができる。
【００１２】
また、本発明は、前記電界を用いて前記カードと通信を行う初期化装置通信部と、前記カードと通信を行った場合、前記カード記憶部が記憶する前記認証状況を示す情報を初期値に変更する初期化部と、を備えた初期化装置をさらに備えたことを特徴とする電界通信システムである。
【００１３】
この構成によれば、初期化装置通信部は、電界を用いてカードと通信を行う。また、初期化部は、カードと通信を行った場合、カード記憶部が記憶する認証状況を示す情報を初期値に変更する。
【００１４】
これにより、初期化装置と通信を行った場合、カード記憶部が記憶する認証状況を示す情報は初期値となる。よって、初期化装置と通信を行った後にユーザがカードを落としても、カード記憶部が記憶する認証状況を示す情報は初期値であるため、他人がカードを拾った場合でも認証状況を示す情報を引き継ぐことはできない。
【００１５】
また、本発明は、電界を電界伝達媒体に誘起し、当該電界を用いて通信を行うカードと、報知装置とを備えた電界通信システムに含まれる報知装置であって、前記カードを保持するユーザの認証状況を示す情報を、前記電界を用いて前記カードから受信する報知装置受信部と、前記認証状況を示す情報に応じた出力内容を出力部に出力させる制御部と、を備えたことを特徴とする報知装置である。
【００１６】
また、本発明は、電界を電界伝達媒体に誘起し、当該電界を用いて通信を行うカードと、報知装置と、認証装置とを備えた電界通信システムに含まれる認証装置であって、前記カードを保持するユーザの認証を行う認証部と、前記電界を用いて前記カードと通信を行う認証装置通信部と、前記認証部が認証した結果に応じて、前記カード記憶部が記憶する前記認証状況を示す情報を変更する変更部と、を備えたことを特徴とする認証装置である。
【００１７】
また、本発明は、電界を電界伝達媒体に誘起し、当該電界を用いて通信を行うカードと、報知装置と、初期化装置とを備えた電界通信システムに含まれる認証装置であって、前記電界を用いて前記カードと通信を行う初期化装置通信部と、前記カードと通信を行った場合、前記カード記憶部が記憶する前記認証状況を示す情報を初期値に変更する初期化部と、を備えたことを特徴とする初期化装置である。
【００１８】
また、本発明は、電界を電界伝達媒体に誘起し、当該電界を用いて通信を行うカードと、報知装置とを備えた電界通信システムに含まれるカードであって、前記電界を用いて通信を行うカード通信部と、当該カードを保持するユーザの認証状況を示す情報を記憶するカード記憶部と、を備えたことを特徴とするカードである。
【発明の効果】
【００１９】
本発明によれば、ユーザは、カードと読み書き装置との間で通信が行われたか否かを認識することができる。
【図面の簡単な説明】
【００２０】
【図１】本発明の第一の実施形態における電界通信システムの構成を示した構成図である。
【図２】本発明の第一の実施形態における認証装置の構成を示した機能ブロック図である。
【図３】本発明の第一の実施形態における報知装置の構成を示した機能ブロック図である。
【図４】本発明の第一の実施形態における初期化装置の構成を示した機能ブロック図である。
【図５】本発明の第一の実施形態におけるカードの構成を示した機能ブロック図である。
【図６】本発明の第一の実施形態における認証装置の動作手順を示したフローチャートである。
【図７】本発明の第一の実施形態における報知装置の動作手順を示したフローチャートである。
【図８】本発明の第一の実施形態における初期化装置の動作手順を示したフローチャートである。
【図９】本発明の第二の実施形態における電界通信システムの構成を示した構成図である。
【図１０】本発明の第二の実施形態における認証装置の動作手順を示したフローチャートである。
【図１１】本発明の第二の実施形態における報知装置動作手順を示したフローチャートである。
【発明を実施するための形態】
【００２１】
（第一の実施形態）
以下、図面を参照して本発明による電界通信システムの第一の実施形態について説明する。図１は、本実施形態における電界通信システムの構成を示した構成図である。
【００２２】
図示する例では、電界通信システムは、認証装置１０と、報知装置２０と、初期化装置３０と、カード４０とを含んでいる。カード４０は、ユーザ６０（生体、電界伝達媒体）に保持されており、ポイント情報を記憶する。認証装置１０と、報知装置２０と、初期化装置３０とは、各装置が備えるアンテナ１２，２２，３２にユーザ６０が乗った場合にユーザ６０の表面に電界を誘起し、当該電界を用いてカード４０と通信を行う。
【００２３】
認証装置１０は認証部１３を備えており、ドア５０に設置されている。ドア５０は、認証装置１０に認証されたユーザ６０のみ入ることができる領域（セキュリティレベルが高い領域）であるセキュリティ領域１００と、どのユーザ６０でも入ることができる領域（セキュリティレベルが低い領域）であるオープンスペース２００との間に設置されている。報知装置２０はセキュリティ領域１００内に設置されている。初期化装置３０は、セキュリティ領域１００からオープンスペース２００に移動したユーザ６０がアンテナ３２に必ず乗るように、オープンスペース２００内、かつドア５０の近くに設置されている。
【００２４】
認証装置１０は、ユーザ６０の認証を行う。また、認証装置１０は、ユーザ６０の認証を行った場合、ユーザ６０が保持するカード４０が記憶するポイント情報にポイントを加算する。認証方法としては、例えば、指紋照合や、静脈照合などの生体認証を用いる。
【００２５】
カード４０が記憶するポイント情報は、このカード４０を保持するユーザ６０の認証状況を示す情報である。例えば、ポイント情報は、カード４０を保持するユーザ６０が認証装置１０に認証された回数を示す。本実施形態では、認証装置１０は、ユーザ６０を１回認証する毎に、ユーザ６０が保持するカード４０が記憶するポイント情報に１ポイント加算する。
【００２６】
また、認証装置１０はユーザ６０を認証した場合、ドア５０の鍵を解除する。これにより、ユーザ６０は、認証装置１０に認証された場合、オープンスペース２００からセキュリティ領域１００に入ることができる。
【００２７】
報知装置２０は、カード４０からポイント情報を受信し、ポイント情報に応じた出力を出力部２３に出力させる。これにより、報知装置２０は、カード４０を保持するユーザ６０が認証装置１０に認証された回数を報知することができる。具体的には、報知装置２０は、受信したポイント情報が１ポイント以上の場合には出力部２３に青色の光を点灯させ、それ以外の場合には出力部２３に赤色の光を点灯させる。
【００２８】
例えば、ユーザ６０が認証装置１０に認証されずにセキュリティ領域１００に進入した場合、ユーザ６０が保持するカード４０に記憶されているポイント情報は０ポイントである。報知装置２０は、このユーザ６０がアンテナ２２に乗った場合、出力部２３に赤色の光を点灯させる。よって、出力部２３が出力する赤色の光を確認した人は、報知装置２０と通信を行っているカード４０を保持するユーザ６０が、認証装置１０に認証されずにセキュリティ領域１００に侵入していることを把握することができる。
【００２９】
初期化装置３０は、カード４０が記憶するポイント情報を０ポイント（初期値）に書き換える。これにより、ユーザ６０がセキュリティ領域１００からオープンスペース２００に戻り、初期化装置３０のアンテナ３２に乗った場合、ユーザ６０が保持するカード４０が記憶するポイント情報は０ポイントとなる。よって、万が一、ユーザ６０がオープンスペース２００内でカード４０を落としてもポイント情報は０ポイントであるため、他人がカード４０を拾った場合でもポイント情報を引き継ぐことはできない。
【００３０】
次に、認証装置１０の構成について説明する。図２は、本実施形態における認証装置１０の構成を示した機能ブロック図である。図示する例では、認証装置１０は、制御部１１（変更部）と、アンテナ１２（認証装置通信部）と、認証部１３とを備える。
【００３１】
制御部１１は、認証装置１０が備える各部の制御を行う。アンテナ１２は、カード４０を保持したユーザ６０の表面に電界を誘起し、当該電界を用いてカード４０と通信を行う。認証部１３は、ユーザ６０の認証を行う。例えば、認証部１３は、指紋照合や、静脈照合などの生体認証を用いてユーザ６０の認証を行う。なお、制御部１１は、認証部１３がユーザ６０の認証を行った場合、変更部として動作し、ユーザ６０が保持するカード４０が記憶するポイント情報にポイントを加算する。
【００３２】
次に、報知装置２０の構成について説明する。図３は、本実施形態における報知装置２０の構成を示した機能ブロック図である。図示する例では、報知装置２０は、制御部２１と、アンテナ２２（報知装置受信部）と、出力部２３とを備える。
【００３３】
制御部２１は、報知装置２０が備える各部の制御を行う。アンテナ２２は、カード４０を保持したユーザ６０の表面に電界を誘起し、当該電界を用いてカード４０と通信を行う。出力部２３は、制御部２１の制御に応じて出力を行う。なお、報知装置２０の制御部２１は、カード４０が記憶するポイント情報に基づいた出力を出力部２３に出力させる。例えば、制御部２１は、ポイント情報が１ポイント以上であれば出力部２３に青色の光を点灯させ、それ以外の場合には出力部２３に赤色の光を点灯させる。
【００３４】
次に、初期化装置３０の構成について説明する。図４は、本実施形態における初期化装置３０の構成を示した機能ブロック図である。図示する例では、初期化装置３０は、制御部３１（初期化部）と、アンテナ３２（初期化装置通信部）とを備える。
【００３５】
制御部３１は、初期化装置３０が備える各部の制御を行う。アンテナ３２は、カード４０を保持したユーザ６０の表面に電界を誘起し、当該電界を用いてカード４０と通信を行う。なお、初期化装置３０の制御部３１は、ユーザ６０がアンテナ３２に乗った場合、初期化部として動作し、ユーザ６０が保持するカード４０に記憶されているポイント情報を０ポイントとする。
【００３６】
次に、カード４０の構成について説明する。図５は、本実施形態におけるカード４０の構成を示した機能ブロック図である。図示する例では、カード４０は、カード制御部４１と、カード通信部４２と、カード記憶部４３とを備える。
【００３７】
カード制御部４１は、カード４０が備える各部の制御を行う。カード通信部４２は、カード４０を保持したユーザ６０の表面に誘起した電界を用いて、認証装置１０と、報知装置２０と、初期化装置３０と通信を行う。カード記憶部４３は、カード４０を保持するユーザ６０の認証状況を示す情報であるポイント情報を記憶する。
【００３８】
次に、認証装置１０の動作について説明する。図６は、本実施形態における認証装置１０の動作手順を示したフローチャートである。以下の動作手順は、カード４０を保持したユーザ６０がアンテナ１２の上に乗った際の認証装置１０の動作手順である。
【００３９】
（ステップＳ１０１）制御部１１は、カード４０と通信（情報の送受信）を開始したか否かを判定する。制御部１１は、カード４０と通信を開始したと判定した場合にはステップＳ１０２の処理に進み、それ以外の場合にはステップＳ１０１の処理を再度実行する。
【００４０】
（ステップＳ１０２）アンテナ１３は、ユーザ６０の表面に発生する電界を介して、カード４０のカード記憶部４３が記憶するポイント情報を受信する。その後、ステップＳ１０３の処理に進む。
【００４１】
（ステップＳ１０３）認証部１３は、ユーザ６０の認証を行う。制御部１１は、認証部１３がユーザ６０を認証したと判定した場合にはステップＳ１０４の処理に進み、それ以外の場合には処理を終了する。
【００４２】
（ステップＳ１０４）制御部１１は、ステップＳ１０２で取得したポイント情報に１ポイント加算する。その後、ステップＳ１０５の処理に進む。
【００４３】
（ステップＳ１０５）制御部１１は、ステップＳ１０４で１ポイント加算した後のポイント情報を、アンテナ１３及びユーザ６０の表面に発生する電界を介してカード４０のカード記憶部４３に書き込む。その後、ステップＳ１０６の処理に進む。
【００４４】
（ステップＳ１０６）制御部１１は、ステップＳ１０３で認証部１３がユーザ６０を認証したため、ドア５０の鍵を解除する。その後、処理を終了する。
【００４５】
上述したとおり、認証装置１０は、ユーザ６０を認証した場合、このユーザ６０が保持するカード４０に記憶されているポイント情報に１ポイント加算し、ドア５０の鍵を解除する。
【００４６】
次に、報知装置２０の動作について説明する。図７は、本実施形態における報知装置２０の動作手順を示したフローチャートである。以下の動作手順は、カード４０を保持したユーザ６０がアンテナ２２の上に乗った際の報知装置２０の動作手順である。
【００４７】
（ステップＳ２０１）制御部２１は、カード４０と通信を開始したか否かを判定する。制御部２１は、カード４０と通信を開始したと判定した場合にはステップＳ２０２の処理に進み、それ以外の場合にはステップＳ２０１の処理を再度実行する。
【００４８】
（ステップＳ２０２）アンテナ２２は、ユーザ６０の表面に発生する電界を介して、カード４０のカード記憶部４３が記憶するポイント情報を受信する。その後、ステップＳ２０３の処理に進む。
【００４９】
（ステップＳ２０３）制御部２１は、ステップＳ２０２で受信したポイント情報が１ポイント以上であるか否かを判定する。制御部２１は、ポイント情報が１ポイント以上であると判定した場合にはステップＳ２０４の処理に進み、それ以外の場合にはステップＳ２０５の処理に進む。
【００５０】
（ステップＳ２０４）制御部２１は、出力部２３に青色の光を点灯させる。その後、処理を終了する。
【００５１】
（ステップＳ２０５）制御部２１は、出力部２３に赤色の光を点灯させる。その後、処理を終了する。
【００５２】
上述したとおり、報知装置２０は、ユーザ６０が保持するカード４０に記憶されているポイント情報に応じた出力を出力部２３に出力させる。本実施形態では、制御部２２は、ユーザ６０が保持するカード４０が記憶するポイント情報が１ポイント以上である場合には、出力部２３に青色の光を点灯させる。また、制御部２２は、ユーザ６０が保持するカード４０が記憶するポイント情報が０ポイントである場合には、出力部２３に赤色の光を点灯させる。
【００５３】
これにより、出力部２３が点灯する光を確認した人は、ユーザ６０が認証装置１０に認証されたか否かを認識することができる。例えば、ユーザ６０が認証装置１０に認証された後にセキュリティ領域１００に入った場合、出力部２３は青色の光を点灯する。よって、出力部２３が出力する青色の光を確認した人は、報知装置２０と通信を行っているカード４０を保持するユーザ６０が、認証装置１０に認証された後にセキュリティ領域１００に入ったことを把握することができる。
【００５４】
また、ユーザ６０が認証装置１０の認証を受けずにセキュリティ領域１００に侵入した場合、出力部２３は赤色の光を点灯する。よって、出力部２３が出力する赤色の光を確認した人は、報知装置２０と通信を行っているカード４０を保持するユーザ６０が、認証装置１０に認証されずにセキュリティ領域１００に侵入していることを把握することができる。
【００５５】
なお、本実施形態の電界通信システムに含まれる認証装置１０は１つであるが、これに限らない。例えば、電界通信システムは複数の認証装置１０を備え、各認証装置１０は、ユーザ６０の認証を行う毎に、ユーザ６０が保持するカード４０に記憶されるポイント情報にポイントを加算するようにしてもよい。この場合、認証された回数が多いユーザ６０が保持するカード４０が記憶するポイント数は多くなる。
【００５６】
また、本実施形態では、認証装置１０はドア５０に設置されているがこれに限らない。例えば、認証装置１０をパーソナルコンピュータに設置してもよい。この場合、認証装置１０は、ユーザ６０のパーソナルコンピュータへのログインを認証し、ログインを認証した場合に、ユーザ６０が保持するカード４０が記憶するポイント情報にポイントを加算するようにしてもよい。
【００５７】
具体的には、認証装置１０の認証部１３は、ユーザ６０のパーソナルコンピュータへのログインを認証する。認証部１３がユーザ６０のパーソナルコンピュータへのログインを認証した場合、制御部１１は、アンテナ１３及びユーザ６０の表面に発生する電界を介して、ユーザ６０が保持するカード４０が記憶するポイント情報に１ポイント加算する。
【００５８】
また、本実施形態では、報知装置２０は、ポイント情報が１ポイント以上である場合には、出力部２３に青色の光を点灯させるが、これに限らない。例えば、ポイント情報に応じて出力部２３に出力される色を変化させてもよい。具体的には、ポイント情報が０ポイントの場合には出力部２３に赤色の光を点灯させ、ポイント情報が１ポイントから５ポイントの場合には出力部２３に黄色の光を点灯させ、ポイント情報が６ポイント以上の場合には出力部２３に青色の光を点灯させてもよい。これにより、出力部２３の出力を確認した人は、ユーザ６０が認証装置１０に認証された回数を把握することができる。
【００５９】
また、本実施形態では、出力部２３に光を点灯させたがこれに限らない。例えば、出力部２３に画像や音声などを出力させるようにしてもよい。
【００６０】
次に、初期化装置３０の動作について説明する。図８は、本実施形態における初期化装置３０の動作手順を示したフローチャートである。以下の動作手順は、カード４０を保持したユーザ６０がアンテナ３２の上に乗った際の初期化装置３０の動作手順である。
【００６１】
（ステップＳ３０１）制御部３１は、カード４０と通信を開始したか否かを判定する。制御部３１は、カード４０と通信を開始したと判定した場合にはステップＳ３０２の処理に進み、それ以外の場合にはステップＳ３０１の処理を再度実行する。
【００６２】
（ステップＳ３０２）制御部３１は、アンテナ３２及びユーザ６０の表面に発生する電界を介して、カード４０のカード記憶部４３が記憶するポイント情報を０ポイントに書き換える。その後、処理を終了する。
【００６３】
上述したとおり、ユーザ６０がセキュリティ領域１００からオープンスペース２００に戻り、初期化装置３０のアンテナ３２に乗った場合、初期化装置３０は、ユーザ６０が保持するカード４０が記憶するポイント情報を０ポイントに書き換える。よって、万が一、ユーザ６０がオープンスペース２００内でカード４０を落としても、カード４０のカード記憶部４３が記憶するポイント情報は０ポイントであるため、他人がカード４０を拾った場合でもポイント情報を引き継ぐことはできない。
【００６４】
なお、セキュリティ領域１００内にカメラを設置し、カメラが撮影した画像に基づいて、ユーザ６０がカード４０を保持しているか否かを判定し、カード４０を保持していないユーザ６０がセキュリティ領域１００内に侵入した場合に警報を出力するシステムと連携するようにしてもよい。これにより、カード４０を保持していないユーザ６０がセキュリティ領域１００内に侵入した場合に警報を出力することができる。
【００６５】
（第二の実施形態）
次に本発明の第二の実施形態について説明する。本実施形態では、ユーザ６０がセキュリティ領域１００など特定の領域に入る場合、認証装置１０は、ユーザ６０が保持するカード４０の記憶部４２が記憶する認証フラグを「１」に書き換える。カード４０が記憶する認証フラグは、カード４０を保持するユーザ６０の認証状況を示す情報であり、カード４０を保持したユーザ６０が特定の領域に入ったことがあるか否かを示す情報である。
【００６６】
本実施形態では、カード４０のカード記憶部４３が記憶する認証フラグが「０」である場合、このカード４０を保持したユーザ６０は、特定のエリアに入ったことが無いことを示す。また、カード４０のカード記憶部４３が記憶する認証フラグが「１」である場合、このカードを保持したユーザ６０は、特定のエリアに入ったことがあることを示す。
【００６７】
図９は、本実施形態における電界通信システムの構成を示した構成図である。図示する例では、電界通信システムは、認証装置１０と、報知装置２０と、カード４０とを含んでいる。カード４０は、ユーザ６０に保持されており、認証フラグを記憶する。認証装置１０と、報知装置２０とは、各装置が備えるアンテナ１２，２２にユーザ６０が乗った場合にユーザ６０の表面に電界を誘起し、当該電界を用いてカード４０と通信を行う。
【００６８】
認証装置１０は認証部１３を備え、ドア５０に設置されている。ドア５０は、セキュリティ領域１００と、オープンスペース２００との間に設置されている。報知装置２０はオープンスペース２００内に設置されている。
【００６９】
認証装置１０は、ユーザ６０の認証を行う。また、認証装置１０は、ユーザ６０の認証を行った場合、ユーザ６０が保持するカード４０のカード記憶部４３が記憶する認証フラグを「１」に書き換える。また、認証装置１０はユーザ６０を認証した場合、ドア５０の鍵を解除する。これにより、ユーザ６０は、認証装置１０に認証された場合、オープンスペース２００からセキュリティ領域１００に入ることができる。
【００７０】
報知装置２０は、カード４０の記憶部から認証フラグを受信し、認証フラグに基づいた出力を出力部２３に出力させる。これにより、報知装置２０は、カード４０を保持するユーザ６０が特定の領域に出入りしたことを報知することができる。具体的には、報知装置２０は、認証フラグが「１」である場合には出力部２３に黄色の光を点灯させ、それ以外の場合には出力部２３に青色の光を点灯させる。
【００７１】
例えば、ユーザ６０がセキュリティ領域１００に入ったことがある場合、ユーザ６０が保持するカード４０が記憶する認証フラグは「１」である。報知装置２０は、このユーザ６０がアンテナ２２に乗った場合、出力部２３に黄色の光を点灯させる。よって、出力部２３が出力する黄色の光を確認した人は、報知装置２０と通信を行っているカード４０を保持するユーザ６０が、セキュリティ領域１００に入ったことがあることを把握することができる。
【００７２】
次に、認証装置１０の構成について説明する。本実施形態の認証装置１０の構成は、第一の実施形態の認証装置１０の構成と同様である。但し、本実施形態における認証装置１０の制御部１１は、認証部１３がユーザ６０の認証を行った場合、ユーザ６０が保持するカード４０が記憶する認証フラグを「１」に変更する。
【００７３】
次に、報知装置２０の構成について説明する。本実施形態の報知装置２０の構成は、第一の実施形態の報知装置２０の構成と同様である。但し、本実施形態における報知装置２０の制御部２１は、カード４０が記憶する認証フラグに基づいた出力を出力部２３に出力させる。例えば、制御部２１は、認証フラグが「１」あれば出力部２３に黄色の光を点灯させ、それ以外の場合には出力部２３に青色の光を点灯させる。
【００７４】
次に、カード４０の構成について説明する。本実施形態のカード４０の構成は、第一の実施形態のカード４０の構成と同様である。但し、本実施形態におけるカード４０のカード記憶部４３は、認証フラグを記憶する。初期状態では、カード記憶部４３が記憶する認証フラグは「０」である。
【００７５】
次に、認証装置１０の動作について説明する。図１０は、本実施形態における認証装置１０の動作手順を示したフローチャートである。以下の動作手順は、カード４０を保持したユーザ６０がアンテナ１２の上に乗った際の認証装置１０の動作手順である。
【００７６】
（ステップＳ４０１）制御部１１は、カード４０と通信を開始したか否かを判定する。制御部１１は、カード４０と通信を開始したと判定した場合にはステップＳ４０２の処理に進み、それ以外の場合にはステップＳ４０１の処理を再度実行する。
【００７７】
（ステップＳ４０２）アンテナ１３は、ユーザ６０の表面に発生する電界を介して、カード４０のカード記憶部４３が記憶する認証フラグを受信する。その後、ステップＳ４０３の処理に進む。
【００７８】
（ステップＳ４０３）認証部１３は、ユーザ６０の認証を行う。制御部１１は、認証部１３がユーザ６０を認証したと判定した場合にはステップＳ４０４の処理に進み、それ以外の場合には処理を終了する。
【００７９】
（ステップＳ４０４）制御部１１は、ステップＳ４０２で受信した認証フラグが「１」であるか否かを判定する。制御部１１は、認証フラグが「１」であると判定した場合にはステップＳ４０６の処理に進み、それ以外の場合にはステップＳ４０５の処理に進む。
【００８０】
（ステップＳ４０５）制御部１１は、アンテナ１３及びユーザ６０の表面に発生する電界を介して、カード４０のカード記憶部４３に認証フラグ「１」を書き込む。その後、ステップＳ４０６の処理に進む。
【００８１】
（ステップＳ４０６）制御部１１は、ステップＳ４０３で認証部１３がユーザ６０を認証したため、ドア５０の鍵を解除する。その後、処理を終了する。
【００８２】
上述したとおり、認証装置１０は、ユーザ６０を認証した場合、このユーザ６０が保持するカード４０に記憶されている認証フラグを「１」に書き換え、ドア５０の鍵を解除する。
【００８３】
次に、報知装置２０の動作について説明する。図１１は、本実施形態における報知装置２０の動作手順を示したフローチャートである。以下の動作手順は、カード４０を保持したユーザ６０がアンテナ２２の上に乗った際の報知装置２０の動作手順である。
【００８４】
（ステップＳ５０１）制御部２１は、カード４０と通信を開始したか否かを判定する。制御部２１は、カード４０と通信を開始したと判定した場合にはステップＳ５０２の処理に進み、それ以外の場合にはステップＳ５０１の処理を再度実行する。
【００８５】
（ステップＳ５０２）アンテナ２２は、ユーザ６０の表面に発生する電界を介して、カード４０のカード記憶部４３が記憶する認証フラグを受信する。その後、ステップＳ５０３の処理に進む。
【００８６】
（ステップＳ５０３）制御部２１は、ステップＳ５０２で受信した認証フラグが「１」であるか否かを判定する。制御部２１は、認証フラグが「１」であると判定した場合にはステップＳ５０４の処理に進み、それ以外の場合にはステップＳ５０５の処理に進む。
【００８７】
（ステップＳ５０４）制御部２１は、出力部２３に黄色の光を点灯させる。その後、処理を終了する。
【００８８】
（ステップＳ５０５）制御部２１は、出力部２３に青色の光を点灯させる。その後、処理を終了する。
【００８９】
上述したとおり、報知装置２０は、ユーザ６０が保持するカード４０が記憶する認証フラグに応じた出力を出力部２３に出力させる。具体的には、制御部２２は、ユーザ６０が保持するカード４０が記憶する認証フラグが「１」である場合には、出力部２３に黄色の光を点灯させる。また、制御部２２は、ユーザ６０が保持するカード４０が記憶する認証フラグが「０」である場合には、出力部２３に青色の光を点灯させる。
【００９０】
これにより、出力部２３が点灯する光を確認した人は、ユーザ６０がセキュリティ領域１００など特定の領域に入ったことがあるか否かを認識することができる。例えば、ユーザ６０がセキュリティ領域１００に入ったことがある場合、出力部２３は黄色の光を点灯する。よって、出力部２３が出力する黄色の光を確認した人は、報知装置２０と通信を行っているカード４０を保持するユーザ６０が、セキュリティ領域１００に入ったことがあるということを把握することができる。
【００９１】
また、ユーザ６０がセキュリティ領域１００に入ったことがない場合、出力部２３は青色の光を点灯する。よって、出力部２３が出力する青色の光を確認した人は、報知装置２０と通信を行っているカード４０を保持するユーザ６０が、セキュリティ領域１００に入ったことがないということを把握することができる。
【００９２】
以上、図面を参照して本発明の実施形態について詳しく説明してきたが、具体的な構成は上述のものに限られることはなく、この発明の要旨を逸脱しない範囲内において様々な設計変更等をすることが可能である。
【００９３】
例えば、第一の実施形態および第二の実施形態では、報知装置２０は出力部２３を備えているが、これに限らない。例えば、報知装置２０の外部に出力部が存在していてもよい。この場合、報知装置２０の制御部２１は、ポイント情報または認証フラグなどの認証状況を示す情報に応じた出力を、報知装置２０の外部に存在している出力部に出力させる。
【００９４】
また、第一の実施形態および第二の実施形態では、カード２０は生体であるユーザ４０に保持されている例に基づいて説明したが、これに限らず、物体に保持されていてもよい。
【符号の説明】
【００９５】
１０・・・認証装置、１１，２１，３１・・・制御部、１２，２２，３２・・・アンテナ、１３・・・認証部、２０・・・報知装置、２３・・・出力部、３０・・・初期化装置、４０・・・カード、４１・・・カード制御部、４２・・・カード通信部、４３・・・カード記憶部、５０・・・ドア、６０・・・ユーザ、１００・・・セキュリティ領域、２００・・・オープンスペース
【図１】
2011091767.tif 000003
【図２】
2011091767.tif 000004
【図３】
2011091767.tif 000005
【図４】
2011091767.tif 000006
【図５】
2011091767.tif 000007
【図６】
2011091767.tif 000008
【図７】
2011091767.tif 000009
【図８】
2011091767.tif 000010
【図９】
2011091767.tif 000011
【図１０】
2011091767.tif 000012
【図１１】
2011091767.tif 000013